(57)【特許請求の範囲】
【請求項１】
インクが充填される内袋と該内袋を内部に収容する外袋からなる二重袋をカートリッジケース内に収容し、前記外袋内に気体が導入されることで前記内袋を加圧して内袋内のインクをカートリッジ外に供給させるインクカートリッジであって、
前記カートリッジケースは、前記外袋への気体導入により圧力が加わる部分を一体成型された筒状の容器本体部で保持するよう構成されるとともに、前記筒状の容器本体部の前方の開口を塞ぐ前カバーと、後方の開口を塞ぐ後ろカバーとを有し、
前記二重袋は、当該二重袋を前記後方の開口から前記容器本体部へ挿入する際の少なくとも挿入方向前側における幅方向両側隅部が斜面状に面取りされた面取部として構成されていることを特徴とするインクカートリッジ。
【請求項２】
前記二重袋は、当該二重袋を前記後方の開口から前記容器本体部へ挿入する際の挿入方向後ろ側における両端隅部も斜面状に面取りされた面取部として構成されていることを特徴とする、請求項１に記載のインクカートリッジ。
【請求項３】
前記面取部は、当該面取部とその外側部分とが曲線状の連絡部によって連絡されていることを特徴とする、請求項１又は２に記載のインクカートリッジ。
【請求項４】
前記面取部は、当該二重袋を前記後方の開口から前記容器本体部へ挿入する際の挿入方向と直交する方向の大きさをＬ１，挿入方向に平行な方向の大きさをＬ２とするとき、Ｌ１＜Ｌ２の関係となるように設けられていることを特徴とする、請求項１〜３のいずれか１項に記載のインクカートリッジ。
【請求項５】
インクが充填される内袋と該内袋を内部に収容する外袋からなる二重袋をカートリッジケース内に収容し、前記外袋内に気体が導入されることで前記内袋を加圧して内袋内のインクをカートリッジ外に供給させるインクカートリッジであって、
前記カートリッジケースは、前記外袋への気体導入により圧力が加わる部分を一体成型された筒状の容器本体部で保持するよう構成されるとともに、前記筒状の容器本体部の前方の開口を塞ぐ前カバーと、後方の開口を塞ぐ後ろカバーとを有し、
前記二重袋は、当該二重袋を前記後方の開口から前記容器本体部へ挿入する際の挿入方向と直交する方向の両側に位置する２辺が曲線状部として構成されていることを特徴とするインクカートリッジ。
【請求項６】
前記曲線状部が円弧の一部であることを特徴とする、請求項５に記載のインクカートリッジ。
【請求項７】
前記曲線状部として構成された前記２辺が、挿入方向の前側辺および後ろ側辺と曲線で連絡されていることを特徴とする、請求項５又は６に記載のインクカートリッジ。
【請求項８】
請求項１〜７のいずれか１項に記載のインクカートリッジが着脱自在に装着されていることを特徴とする画像形成装置。
【発明の詳細な説明】
【技術分野】
【０００１】
本発明は、インクカートリッジおよびインクカートリッジを着脱自在に備える画像形成装置に関する。
【背景技術】
【０００２】
プリンタ、ファクシミリ、複写機等の画像形成装置として、インク液滴を吐出する記録ヘッドを用いたインクジェット方式のものが知られている。このような液体吐出記録方式の画像形成装置は記録ヘッドからインク滴を、搬送される記録媒体（以下、単に「用紙」と呼ぶ場合がある）に対して吐出して画像形成を行なうものであり、記録ヘッドが主走査方向に移動しながら液滴を吐出して画像を形成するシリアル型画像形成装置と、記録ヘッドが移動しない状態で液滴を吐出して画像を形成するライン型ヘッドを用いるライン型画像形成装置がある。
【０００３】
このような画像形成装置（以下、単に「インクジェット記録装置」ともいう）において、例えば記録ヘッドを搭載したキャリッジ上に、記録ヘッドにインクを供給するサブタンクを搭載し、メインのインクカートリッジを画像形成装置本体（以下、単に「装置本体」と呼ぶ場合がある）側に着脱自在に装着し、サブタンクに装置本体側のインクカートリッジからインクを補充供給するようにしたものが知られている。
【０００４】
このようなインクカートリッジとして、内袋部となるインク袋の外側に圧縮された空気を導入する外袋部を設けた二重袋をカートリッジケース内に収容し、外袋部内に空気を導入することでインク袋を加圧して記録ヘッド側にインクを供給するものが知られている。
【０００５】
この加圧方式のインクカートリッジでは、カートリッジケースに高い圧力がかかる。しかも、近年、印刷速度の高速化に対応するために送液量を増やしたり、速乾性のある粘度の高いインクを送液させるために、カートリッジを加圧させる圧力が更に高まる傾向にある。
【０００６】
従来のインクカートリッジとして、例えば、インクパックを収容した薄型の略直方体形状のカートリッジケースを備え、カートリッジケースは本体部と蓋部とから構成されたものが特開２００６−８２２９０号公報（特許文献１）により提案されている。
【０００７】
また、ブロー成型によるボトル形状のケースにインクを収容したものが特表２００２−５０５２１２号公報（特許文献２）により提案されている。
【発明の概要】
【発明が解決しようとする課題】
【０００８】
しかしながら、インクカートリッジは、画像形成速度の高速化に対応するために大容量化し、安定したインク供給を行えることが求められており、上述した特許文献１に開示のインクカートリッジでは、カートリッジケースの分割面が、６面の中で一番面積が大きい２つの面と平行面で分割されているので、加圧時にケースの分割面に多大な負荷を与えることになってしまうことになり、カートリッジケースが破損するおそれがある。
【０００９】
また、特許文献２に開示されているブロー成型によるボトル形状のケースを使用したカートリッジは、ボトル形状のケースは口部を小さくすることによって耐圧力を高めるため、組み立て時に、インク充填済みのインク袋をケースに入れることができない、もしくは、非常に困難である。
【００１０】
本発明は、従来のインクカートリッジにおける上述の問題を解決し、高い圧力がかけられても壊れない構造で、かつ、組立て性に優れたインクカートリッジ、及びそのインクカートリッジを備える画像形成装置を提供することを課題とする。
【課題を解決するための手段】
【００１１】
前記の課題は、本発明により、インクが充填される内袋と該内袋を内部に収容する外袋からなる二重袋をカートリッジケース内に収容し、前記外袋内に気体が導入されることで前記内袋を加圧して内袋内のインクをカートリッジ外に供給させるインクカートリッジであって、前記カートリッジケースは、前記外袋への気体導入により圧力が加わる部分を一体成型された筒状の容器本体部で保持するよう構成されるとともに、前記筒状の容器本体部の前方の開口を塞ぐ前カバーと、後方の開口を塞ぐ後ろカバーとを有し、前記二重袋は、当該二重袋を前記後方の開口から前記容器本体部へ挿入する際の少なくとも挿入方向前側における幅方向両側隅部が斜面状に面取りされた面取部として構成されているインクカートリッジにより解決される。
【００１２】
また、前記二重袋は、当該二重袋を前記後方の開口から前記容器本体部へ挿入する際の挿入方向後ろ側における両端隅部も斜面状に面取りされた面取部として構成されていると好適である。
【００１３】
また、前記面取部は、当該面取部とその外側部分とが曲線状の連絡部によって連絡されていると好適である。
また、前記面取部は、当該二重袋を前記後方の開口から前記容器本体部へ挿入する際の挿入方向と直交する方向の大きさをＬ１，挿入方向に平行な方向の大きさをＬ２とするとき、Ｌ１＜Ｌ２の関係となるように設けられていると好適である。
【００１４】
また、前記の課題は、本発明により、インクが充填される内袋と該内袋を内部に収容する外袋からなる二重袋をカートリッジケース内に収容し、前記外袋内に気体が導入されることで前記内袋を加圧して内袋内のインクをカートリッジ外に供給させるインクカートリッジであって、前記カートリッジケースは、前記外袋への気体導入により圧力が加わる部分を一体成型された筒状の容器本体部で保持するよう構成されるとともに、前記筒状の容器本体部の前方の開口を塞ぐ前カバーと、後方の開口を塞ぐ後ろカバーとを有し、前記二重袋は、当該二重袋を前記後方の開口から前記容器本体部へ挿入する際の挿入方向と直交する方向の両側に位置する２辺が曲線状部として構成されているインクカートリッジにより解決される。
【００１５】
また、前記曲線状部が円弧の一部であると好適である。
また、前記曲線状部として構成された前記２辺が、挿入方向の前側辺および後ろ側辺と曲線で連絡されていると好適である。
【００１６】
また、前記の課題は、本発明により、請求項１〜６のいずれか１項に記載のインクカートリッジが着脱自在に装着されている画像形成装置により解決される。
【発明の効果】
【００１７】
請求項１のインクカートリッジ及び請求項５のインクカートリッジによれば、高い圧力がかけられても壊れない丈夫な構造のカートリッジであるために安定したインク供給が可能となり、また、カートリッジケースへの二重袋の挿入がし易く、組み立て性に優れたインクカートリッジを提供することができる。
【００１８】
請求項２の構成により、挿入方向後ろ側における両端隅部も面取部とすることで、後ろカバーを取り付ける際に二重袋が引っ掛からず、組み立て性をより向上させることができる。
【００１９】
請求項３の構成により、面取部とその外側部分とが曲線状の連絡部によって連絡されているため、二重袋の挿入がより容易になり、さらに組み立て性を向上させることができる。
【００２０】
請求項４の構成により、面取り部の傾きが大きくなることによって二重袋の挿入がより容易になり、さらに組み立て性を向上させることができる。
請求項６の構成により、二重袋を容易にカートリッジケースへ挿入できる。
【００２１】
請求項７の構成により、二重袋の挿入がより容易になり、さらに組み立て性を向上させることができる。
請求項８の画像形成装置によれば、高い強度を有するインクカートリッジを用いることで安定したインク供給が可能となり、安定した画像形成が実現できるとともに、画像形成速度の高速化にも対応することができる。
【図面の簡単な説明】
【００２２】
【図１】本発明に係る画像形成装置の一例であるカラーインクジェットプリンタの外観斜視図である。
【図２】そのインクジェットプリンタの印字機構部の平面図である。
【図３】キャリッジ及び維持回復機構部分を示す斜視図である。
【図４】インク供給系を説明するための模式図である。
【図５】インクカートリッジの外観斜視図である。
【図６】反対側から見たインクカートリッジの斜視図である。
【図７】インクカートリッジの分解斜視図である。
【図８】カートリッジベースの斜視図である。
【図９】カートリッジの前カバーの分解斜視図である。
【図１０】反対側から見た前カバーの斜視図である。
【図１１】インク収容体である二重袋の斜視図である。
【図１２】二重袋のスパウトを示す斜視図である。
【図１３】インクカートリッジの平断面図である。
【図１４】従来のインク収容体の一例を示す斜視図である。
【図１５】二重袋の第１実施例を示す斜視図である。
【図１６】二重袋の第２実施例を示す斜視図である。
【図１７】二重袋の第３実施例を示す斜視図である。
【発明を実施するための形態】
【００２３】
以下、本発明の実施の形態を図面に基づいて説明する。
図１は、本発明に係る画像形成装置の一例であるカラーインクジェットプリンタの外観斜視図である。また、図２は、そのインクジェットプリンタの印字機構部の平面図である。また、図３は、キャリッジ及び維持回復機構部分を示す斜視図である。
【００２４】
これらの図に示す本例のインクジェットプリンタはシリアル型インクジェット記録装置であり、記録装置本体１の内部には、図示しない両側板にガイドロッド３及びガイドレール４が掛け渡され、これらのガイドロッド３及びガイドレール４にキャリッジ５が主走査方向に摺動可能に保持されている。なお、ガイドレール４は、キャリッジ５の後部に回転可能に支持された副ガイドローラ６が当接する構成としている。
【００２５】
そして、キャリッジ５を移動走査する主走査機構は、主走査方向の一方側に配置される駆動モータ１１と、駆動モータ１１によって回転駆動される駆動プーリ１２と、主走査方向他方側に配置された従動プーリ１３と、駆動プーリ１２と従動プーリ１３との間に掛け回されたタイミングベルト（ベルト部材）１４とを備えている。なお、従動プーリ１３はテンションスプリングによって外方（駆動プーリ１２に対して離れる方向）にテンションが架けられている。
【００２６】
ここで、駆動プーリ１２と従動プーリ１３は、インク滴吐出方向に沿う方向にプーリ軸方向が位置する配置としている。そして、これらの駆動プーリ１２と従動プーリ１３との間に掛け回されたベルト部材１４は、キャリッジ５の背面側に設けたベルト固定部に一部分が固定保持されていることで、主走査方向と直交する方向におけるキャリッジ５の一方側に配置されている。
【００２７】
また、キャリッジ５には、ブラック（Ｋ）、イエロー（Ｙ）、マゼンタ（Ｍ）、シアン（Ｃ）の各色のインク滴を吐出するノズルを有する液体吐出ヘッドからなる１０個のバッファタンク（サブタンク）付き記録ヘッド２０ａ〜２０ｊ（区別しないときは「記録ヘッド２０」という）が図示しないヘッドベースに配置されている。ここで、記録ヘッド２０ａ，２０ｂと記録ヘッド２０ｃ，２０ｄは用紙搬送方向に位置をずらして千鳥状配置として、例えばブラックのインク滴を吐出するヘッドとして使用する。また、記録ヘッド２０ｅ〜２０ｇと記録ヘッド２０ｈ〜２０ｊは用紙搬送方向に位置をずらして千鳥状配置とし、例えば記録ヘッド２０ｅ，２０ｈはシアンのインク滴を、記録ヘッド２０ｆ，２０ｉはマゼンタのインク滴を、記録ヘッド２０ｇ，２０ｊはイエローのインク滴をそれぞれ吐出するヘッドとして使用することで、２つのヘッド分の用紙送り方向の領域を同じ主走査で印字できるようにしている。
【００２８】
一方、キャリッジ５による主走査領域のうち、記録領域では、用紙１０が図示しない紙送り機構によってキャリッジ５の主走査方向と直交する方向（副走査方向）にプラテン部材で案内されて間欠的に搬送される。プラテン部材は、キャリッジ５の主走査領域に沿って少なくとも記録領域で記録ヘッド２０に対向して配設されている。
【００２９】
また、主走査領域のうちの一方の端部側領域には記録ヘッド２０の維持回復を行う維持回復機構８が配置されている。維持回復機構８は、記録ヘッド２０ａ〜２０ｊの各ノズル面を封止（キャッピング）するキャップ３０、図示しないノズル面を払拭するワイパ部材などを備えている。
【００３０】
また、一方の主走査領域外には、図１に示すように、記録ヘッド２０に供給する各色のインクを収容したインクカートリッジ（メインタンク）２００が着脱自在に装着されている。
【００３１】
このように構成されたインクジェット記録装置では、キャリッジ５を主走査方向に移動し、用紙１０を間欠的に副走査方向に送りながら、記録ヘッド２０を画像情報に応じて駆動して液滴を吐出させることによって、用紙１０上に所要の画像が形成される。
【００３２】
図４は、インクジェット記録装置１におけるインク供給系を説明するための模式図である。
図４において、液滴を吐出する液体吐出ヘッドからなるヘッド部２１及びヘッド部２１にインクを供給するバッファタンク（サブタンク）２２を備える記録ヘッド２０と、記録ヘッド２０に供給するインクを収容するメインタンクである交換可能なインクカートリッジ２００とを備え、記録ヘッド２０のインク消費に応じてインクカートリッジ２００から供給チューブ２４を介してバッファタンク２２にインクが補充供給される。
【００３３】
インクカートリッジ２００は、カートリッジケース２０１内に、インク３００を収容する内袋であるインク袋２０２と、このインク袋２０２を内部に収容し、気体（ここでは空気とする）が導入されることでインク袋２０２を加圧してインク袋２０２内のインク３００をインクカートリッジ２００外に供給する外袋である空気袋２０３とからなる二重袋２０４を備え、空気袋２０３内にポンプ２５によって空気を導入してインク袋２０２を加圧することでインク３００が記録ヘッド２０側に供給される。なお、供給チューブ２４とインク袋２０２との接続は中空針４００によって、ポンプ２５と空気袋２０３との接続はエアージョイント部５００によって着脱自在に行われる。
【００３４】
図５は、インクカートリッジの外観斜視図である。図６は、図５と反対側から見たインクカートリッジの斜視図である。図７は、インクカートリッジの分解斜視図である。図８は、カートリッジベースの斜視図である。図９は、カートリッジの前カバーの分解斜視図である。図１０は、図９と反対側から見た前カバーの斜視図である。図１１は、インク収容体である二重袋の斜視図である。図１２は、二重袋のスパウトを示す斜視図である。図１３は、インクカートリッジの平断面図である。
【００３５】
これらの図に示すように、インクカートリッジ２００は、収納容器であるカートリッジケース２０１内に、インクを収容するインク袋２０２と、このインク袋２０２を内部に収容し、気体が導入されることでインク袋２０２を加圧してインク袋２０２内のインクをインクカートリッジ２００外に供給する空気袋２０３とからなるインク収容体である二重袋２０４を収納している。
【００３６】
二重袋２０４は、インク袋２０２と空気袋２０３で構成され、ポリエチレン等の樹脂で出来ている係合部材であるスパウト２４１に、内側にインク袋２０２、外側に空気袋２０３が熱溶着にて固定されている。スパウト２４１には、装置本体にインクを供給するインク供給口部２４２と、インク袋２０２内にインクを充填する工程で使用するインク充填口部２４３と、加圧させるための空気（気体）を空気袋２０３内に導入するために使用する空気導入口部２４４とが設けられている。
【００３７】
インク供給口部２４２にはゴムシール２４５が内装されており、装置本体側の中空針４００がゴムシール２４５を突き破って、インク袋２０２内部と連通する。インクが残った状態で、装置本体１からインクカートリッジ２００を外しても、ゴムシール２４５が弾性復元して中空針４００が刺された部分を閉じるので、インク袋２０２内に収容されているインクがインクカートリッジ２００外に漏れ出すことはない。
【００３８】
インク充填口部２４３は、インク袋２０２内部と連通しており、インクを充填した後、熱溶着により途中で封止されている。インクを充填するときは、一旦、インク袋２０２内部を脱気するため、インク袋２０２を平らな状態でキープするためにインク袋２０２を２枚の平らな板で押しつぶした状態で、インク充填口部２４３から空気を吸引してからインクを充填することによって、インク袋２０２内のインクに無用な空気を入れることを最小限に抑えることができる。
【００３９】
空気導入口部２４３は、空気袋２０３の内側でインク袋２０２の外側に連通しており、印刷時には装置本体から加圧された空気を導入し、インク袋２０２を圧縮方向に加圧させる。
【００４０】
一方、二重袋２０４を収納する収納容器であるカートリッジケース２０１は、二重袋２０４を収納する筒状の容器本体部であるベース２１１と、容器本体部２１１の前方の開口部２２２を塞ぐ前カバー２１２と、容器本体部２１１の後方の開口部２２３を塞ぐ後カバー２１３の３つの部品で構成されている。
【００４１】
そして、ここでは、前カバー２１２には突部２５１が設けられ、ベース２１１には凹部２５２が設けられて、凹凸嵌合することで前カバー２１２とベース２１１の位置決めが行われた状態で、ネジ穴部２５３、２５４にてネジで固定している。ベース２１１と後カバー２１３の締結方法は、ネジ止め、スナップフィット、溶着、接着等のいずれか又は複数の方法で固定する。
【００４２】
ここで、ベース２１１の前方の開口部２２２は、ベース２１１の筒状部の一部であって、少なくとも後述する取り付け部であるスパウト装着部２１４全体を露出させる大きさの開口を有している。また、後方の開口部２２３は、ベース２１１の筒状部の全部を開口させる大きさの開口を有している。この後方の開口部２２３は、ベース２１１を射出成型で形成するときに金型を抜ける大きさの開口でもある。
【００４３】
これらのカートリッジケース２０１を構成するベース２１１、前カバー２１２及び後カバー２１３の３つの部品は、いずれもポリスチレンやＡＢＳ等の樹脂で射出成型（一体成型）にて形作られる。材料のリサイクル性を考えると、３つの部品とも同じ材料で形成することが好ましいが、加圧時に最も負荷がかかるベース２１１のみ高強度な樹脂で形成することもできる。
【００４４】
ベース２１１には二重袋２０４のスパウト２４１を取付ける取り付け部であるスパウト装着部２１４が設けられるとともに、前カバー２１２にも二重袋２０４のスパウト２４１を取付ける取り付け部であるスパウト装着部２１５が設けられている。ベース２１１に前カバー２１２を取付けることで、スパウト装着部２１４、２１５にてスパウト２４１が固定される。そして、ベース２１１に前カバー２１２がセットされた状態で、カートリッジケース２０１には供給口部２４２と空気導入口部２４３に対応する部分に穴部２１６、２１７が形成され、装置本体側からの中空針４００及びエアージョイント５００を連結して装置本体からのアクセスが可能となる。
【００４５】
また、ベース２１１、前カバー２１２及び後カバー２１３の３つの部品で構成されるカートリッジケース２０１は、前方側部分２５５と後方側部分２５６は、二重袋２０４の外形状に合わせて内側に変形させた形状に形成している。また、前方側部分２５５の外面側には、ベース２１１、前カバー２１２にそれぞれ補強用リブ２５７．２５８を形成し、加圧時に変形しにくい構造としている。なお、カートリッジケース２０１の内壁面は落下時等に二重袋２０４を傷つけないために凹凸の無い滑らかな形状に形成している。
【００４６】
また、前カバー２１２の前面（装置本体に装着するときに前側となる面）にはＩＤチップ２６１が熱溶着あるいは両面テープで固定されている。また、前カバー２１２には、収容したインクの色に応じた色非互換用リブ２６２が一体に形成され、色によってリブ２６２の位置が異なることで装着時の色間違えを防止している。
【００４７】
また、前カバー２１２には装置本体との位置決め用リブ２６３が一体に形成され、リブ２６３はベース２１１の開口部２２２を塞ぐ前カバー本体２１２ａから装着方向と平行に後カバー方向へ延在して設けられている。このように、位置決め用リブ２６３が前カバー本体２１２ａよりさらに後ろに延長した形状となっているため装置本体との位置決めがより確実になる。
【００４８】
なお、３つの部品で形成されたカートリッジケース２０１（特にベース２１１と前カバー２１２）の前方側に萎まされた形状とリブ２５７、２５８で補強している周辺部分は、加圧時の変形量が少ない。このため、装置本体との位置決めやＩＤチップ２６１、スパウト２４１の位置決め、色非互換リブ２６２などの位置が重要で、変形の許容度が少ない構成ないし部品は、ベース２１１や前カバー２１２に集中して配置することが好ましい。
【００４９】
この場合、ベース２１１より前カバー２１２の方が加圧時の変形量がより少ないので、前カバー２１２に装置本体との位置決めやＩＤチップ２６１、スパウト２４１の位置決め、色非互換リブ２６２などを配置することがより好ましい。
【００５０】
つまり、前カバー２１２がベース２１１の一部分の開口部２２２を塞ぐ構成することによって、前カバー２１２の強度が高くなり、加圧による変形を回避するために、肉厚なケースにする必要もなく、効率的に、必要な位置決めを達成しつつ、加圧時の圧力を受け止めることができる。
【００５１】
このように構成したインクカートリッジ２００を組立てるときには、カートリッジケース２０１のベース２１１の後方の開口部２２３からインクを充填した二重袋２０４を挿入して、二重袋２０４のスパウト２４１をベース２１１のスパウト装着部２１４に取付け、ベース２１１の前方の開口部２２２に前カバー２１２を取付けて、前カバー２１２のスパウト装着部２１５にて二重袋２０４のスパウト２４１を固定し、その後、ベース２１１の後方の開口部２２３に後カバー２１３を取付ける。これにより、脱気したインクを収容した二重袋２０４をカートリッジケース２０１内に収納することができる。
【００５２】
本実施形態では、インクカートリッジ２００を上記したような構成とすることで、変形回避のために肉厚なケースとする必要もなく、効率的に必要な位置決めを達成しつつ、加圧時の圧力を受け止めることができる丈夫なインクカートリッジを実現している。
【００５３】
ここで、図１４を参照して従来のインク収容体の一例について説明する。
二重袋１０４はインク袋１０２と空気袋１０３で構成され、スパウト１４１が取り付けられている。空気袋１０３の四隅は角部Ｃとなっている。図１４からも分かるように、二重袋１０４は、空気袋１０３内にインク袋１０２を収めているため、インク袋１０２の外側部分に（スパウト取付け部以外の３方に）空気袋１０３が張り出した形状となっている。このような形状の二重袋１０４をカートリッジ内にセットする場合、空気袋１０３の張り出し部分、特に、挿入方向前側における幅方向両側の角部Ｃおよび肩部がケースに当接して邪魔になる。最終的にケース内に収められた二重袋は幅方向両側の空気袋張り出し部分が折りたたまれた状態となる（図７参照）が、挿入時には、空気袋１０３の挿入方向前側の角部Ｃおよび肩部がケースに当接することになる。
【００５４】
そこで、図１５に示す本発明による二重袋２０４Ａ（第１実施例）では、二重袋の外袋である空気袋２０３の四隅を斜めに面取りし、面取り部Ｍとして構成している。その面取り部Ｍの両側部分は、面取り部Ｍと接続する辺とが曲線状に連絡される曲線連絡部Ｒとして構成される。これにより、二重袋２０４Ａをベース２１１の後方開口部２２３からカートリッジ内に挿入する際に、スムーズにケース（ベース２１１）内に挿入することができ、インクカートリッジの組立て性を向上させることができる。
【００５５】
なお、本実施例の二重袋２０４Ａでは、空気袋２０３の四隅全部を面取り部Ｍとしたが、少なくとも挿入方向前側の隅部（挿入方向前側において、挿入方向と直交する方向＝幅方向の両側の隅部）を面取り部Ｍとして構成すれば良い。ただし、挿入方向後ろ側の隅部も面取り部Ｍとすることで、後カバー２１３をかぶせる際に後ろ側の角部が無いことによって引っかからず、この点でも組立て性を向上させることができる。もちろん、後ろ側の面取り部Ｍにおいても両側部分を曲線連絡部Ｒとして構成するのが好ましい。
【００５６】
図１６は、本発明による二重袋の第２実施例を示す斜視図である。この図に示す二重袋２０４Ｂは、空気袋２０３の四隅が面取り部Ｍとして構成されていること、および、その面取り部Ｍの両側部分が曲線連絡部Ｒとして構成されていることは、図１５の第１実施例の二重袋２０４Ａと同じである。
【００５７】
それに加えて、本第２実施例の二重袋２０４Ｂでは、面取り部Ｍの寸法が、カートリッジへの挿入方向（図の下から上方向）に直交する方向（幅方向）の大きさをＬ１，挿入方向に平行な方向（長さ方向）の大きさをＬ２とするとき、Ｌ１＜Ｌ２の関係となるように設けられている。これにより、面取り部Ｍの斜面の傾きが大きくなる（挿入方向と直交する方向に対する角度αが４５度以上となる）ため、より二重袋２０４Ｂをカートリッジのケース（ベース２１１）内に挿入し易くなり、インクカートリッジの組立て性を向上させることができる。
【００５８】
なお、本実施例においても、少なくとも挿入方向前側の面取り部ＭでＬ１＜Ｌ２とすれば良いが、挿入方向後ろ側の面取り部ＭもＬ１＜Ｌ２とすることにより、後カバー２１３をかぶせ易くなり、この点でも組立て性を向上させることができる。
【００５９】
図１７は、本発明による二重袋の第３実施例を示す斜視図である。この図に示す二重袋２０４Ｃは、カートリッジへの挿入方向（図の下から上方向）に直交する方向（幅方向）の両側に位置する辺Ｋ，Ｋが曲線状部として構成されており、かつ、その辺Ｋ，Ｋと挿入方向の前側辺および後ろ側辺とが曲線で連絡されている。なお、上記の曲線状部として構成される辺Ｋ，Ｋは、円弧の一部として形成しても良い。
【００６０】
このような構成により、本第３実施例の二重袋２０４Ｃはカートリッジのケース（ベース２１１）内にスムーズに挿入することができ、また、後カバー２１３もかぶせ易く、インクカートリッジの組立て性を向上させることができる。
【００６１】
上記説明したように、本実施形態のインクカートリッジは、上述したようなカートリッジ構成を採用することで高い圧力がかけられても壊れない丈夫な構造のカートリッジであり、また、上述した各実施例の二重袋２０４を用いることで、インク収容体である二重袋のセット性に優れるため、高い強度と優れた組み立て性を両立させたインクカートリッジを提供することができる。
【００６２】
また、本実施形態のインクカートリッジを用いる画像形成装置においては、高い強度を有するインクカートリッジを用いることで安定したインク供給が可能となり、安定した画像形成が実現できるとともに、画像形成速度の高速化にも対応することができる。
【００６３】
以上、本発明を図示例により説明したが、本発明はこれに限定されるものではない。例えば、インク収容体である二重袋の形状等は、本発明の範囲内で適宜変更が可能である。また、インクカートリッジ各部の構成も適宜変更可能である。もちろん、収容するインクの色は任意である。そして、本発明によるインクカートリッジは、図示例のシリアル型画像形成装置に限らず、記録ヘッドが移動しないライン型画像形成装置にも使用することができる。
【００６４】
また、インクジェット記録装置におけるインクの色数や、インクカートリッジの個数等は任意である。また、カラー画像形成装置に限らず、モノクロ装置にも本発明は適用可能である。また、画像形成装置としてはプリンタに限らず、複写機やファクシミリ、あるいは複数の機能を備える複合機等、任意の形態を採用可能である。
【符号の説明】
【００６５】
１          記録装置本体
５          キャリッジ
８          維持回復機構
２０        記録ヘッド
２４        インク供給チューブ
２００      インクカートリッジ
２０１      カートリッジケース
２０２      インク袋（内袋）
２０３      空気袋（外袋）
２０４      二重袋
２１１      ベース
２１２      前カバー
２１３      後カバー２１３
２２３      開口部
２４１      スパウト
３００      インク
４００      中空針
５００      エアージョイント部
【先行技術文献】
【特許文献】
【００６６】
【特許文献１】特開２００６−８２２９０号公報
【特許文献２】特表２００２−５０５２１２号公報
【図１】
0005440264.tif 000002
【図２】
0005440264.tif 000003
【図３】
0005440264.tif 000004
【図４】
0005440264.tif 000005
【図５】
0005440264.tif 000006
【図６】
0005440264.tif 000007
【図７】
0005440264.tif 000008
【図８】
0005440264.tif 000009
【図９】
0005440264.tif 000010
【図１０】
0005440264.tif 000011
【図１１】
0005440264.tif 000012
【図１２】
0005440264.tif 000013
【図１３】
0005440264.tif 000014
【図１４】
0005440264.tif 000015
【図１５】
0005440264.tif 000016
【図１６】
0005440264.tif 000017
【図１７】
0005440264.tif 000018